(57)【要約】【課題】窓枠と扉との間に簡単にヒンジを設けることで棺の製作を容易にし、ヒンジの存在に影響されることなく棺の外観を自由にデザインすることが可能な棺のヒンジ構造を提供する。【解決手段】棺１０は、棺本体１１と蓋１２と窓ユニット１３とからなる。窓ユニット１３は、窓枠２１に扉２２Ａ，２２Ｂを開閉可能に支持するヒンジ２３，２３を備えている。窓枠２１および扉２２Ａ，２２Ｂは、外板と内板との間に芯材を挟んでなる多層構造の段ボール材に扉形状の切り込みを入れて、この切り込みの外側を窓枠２１とし、内側を扉２２Ａ，２２Ｂとして形成される。ヒンジ２３，２３は、段ボール材の扉形状の切り込みの一辺に外板を残して内板と芯材とを切断し、この外板の残部を扉２２Ａ，２２Ｂの開閉軸に合わせて折り曲げることにより形成される。【選択図】図５
2008029655.tif 000002
【特許請求の範囲】
【請求項１】
窓枠と、
この窓枠の内側に設けられる扉と、
前記窓枠に前記扉を開閉可能に支持するヒンジとを備え、
前記窓枠および前記扉は、外板と内板との間に芯材を挟んでなる多層構造の段ボール材に扉形状の切り込みを入れて、この切り込みの外側を前記窓枠とし、内側を前記扉として形成されるものであり、
前記ヒンジは、前記扉形状の切り込みの一辺に前記外板を残して前記内板と前記芯材とを切断し、この外板の残部を前記扉の開閉軸に合わせて折り曲げることにより形成されることを特徴とする棺のヒンジ構造。
【請求項２】
前記窓枠および前記扉の表面に布材を連ねて張り付け、前記外板の残部を前記布材で覆う請求項１記載の棺のヒンジ構造。
【請求項３】
請求項１または２記載のヒンジ構造を有する棺。
【請求項４】
請求項１または２記載のヒンジ構造を有する棺用窓ユニット。
【請求項５】
棺本体と、
この棺本体の上方に被せられる蓋と、
前記棺本体と前記蓋を開閉可能に支持するヒンジとを備え、
前記棺本体および前記蓋は、外板と内板との間に芯材を挟んでなる多層構造の段ボール材を組み立てて一体的に形成されるものであり、
前記ヒンジは、前記棺本体と前記蓋とを繋ぐ段ボール材に前記外板を残して前記内板と前記芯材とを切断し、この外板の残部を前記蓋の開閉軸に合わせて折り曲げることにより形成されることを特徴とする棺のヒンジ構造。
【発明の詳細な説明】
【技術分野】
【０００１】
本発明は、棺のヒンジ構造に関するもので、例えば段ボール棺の窓に適用されるものである。
【背景技術】
【０００２】
棺には故人と対面するための窓を設けることが多い。このような棺の窓は、通常、金属製の蝶番によって窓枠に扉が開閉可能に取り付けられている。蝶番は、窓枠の上下左右の４箇所に設けられ、これらの蝶番により扉が左右に観音開きで開閉するようになっている。
【０００３】
近年、棺の材料として木材の他、段ボール材が用いられることがあり、このような段ボール棺においても、上記と同様に観音開きの扉が採用される。段ボール棺のヒンジ構造としては、例えば窓枠や扉に木枠を固定し、この木枠に蝶番をネジで固定するか、窓枠および扉に接着剤で直接蝶番を固定する等の工夫をしている。
なお、棺に関する先行技術としては、特許文献１〜３に開示されるものがある。
【０００４】
【特許文献１】特開平７−２５５７９５号公報
【特許文献２】実公平２−３６５０５号公報
【特許文献３】実開平６−４８６４９号公報
【発明の開示】
【発明が解決しようとする課題】
【０００５】
しかしながら、このような従来の棺のヒンジ構造では、窓枠に扉を取り付ける際に、蝶番の片方を窓枠に止め、蝶番の他方を扉に止める作業を蝶番の個数だけ繰り返し行わなければならず、このような取付作業が面倒である。
また、棺の表面に蝶番が露出してしまうため、蝶番が邪魔になって棺のデザインが制限され、多様化する需要者のニーズを十分に満たすことができないといった問題もある。
【０００６】
特許文献３に開示されるように、金属製の蝶番に代えて、紙製のヒンジを使用する棺も知られているが、このようなヒンジ構造においても、ヒンジ用の紙片を窓枠と扉の双方に接着する作業が必要であり、ヒンジの取付作業に手間がかかるという問題は解消されない。また、ヒンジ用の紙片の厚みが棺の表側に表れてしまい、ヒンジ付近の見た目が悪くなる。
【０００７】
本発明は、このような現状に鑑みなされたもので、窓枠と扉との間に簡単にヒンジを設けることで棺の製作を容易にし、しかも、ヒンジの存在に影響されることなく棺の外観を自由にデザインすることが可能な棺のヒンジ構造を提供することを目的としている。
【課題を解決するための手段】
【０００８】
［第１発明］
前記課題を解決するための本発明の棺のヒンジ構造は、
窓枠と、
この窓枠の内側に設けられる扉と、
前記窓枠に前記扉を開閉可能に支持するヒンジとを備え、
前記窓枠および前記扉は、外板と内板との間に芯材を挟んでなる多層構造の段ボール材に扉形状の切り込みを入れて、この切り込みの外側を前記窓枠とし、内側を前記扉として形成されるものであり、
前記ヒンジは、前記扉形状の切り込みの一辺に前記外板を残して前記内板と前記芯材とを切断し、この外板の残部を前記扉の開閉軸に合わせて折り曲げることにより形成される構成とした。
【０００９】
このような構成によれば、窓枠と扉とを繋ぐ段ボール材の外板がそのままヒンジになる。すなわち、段ボール材の窓枠の内側に扉を切り抜くときに扉形状の一辺の外板を意識的に残すことにより、この外板の残部がヒンジとなり、窓枠に扉が開閉可能に支持される。この結果、蝶番等のヒンジ部品を別個に用意して窓枠と扉とに取り付ける作業が不要となり、棺の製作作業を大幅に簡略化することができる。
また、第１発明の構成によれば、多層構造の段ボール材のうち、棺の最も外側に位置する外板のみをヒンジとして残すため、扉の開閉方向が外向きに規制される。すなわち、外板の折り目を開閉軸として扉が棺の外向きのみに開閉し、内向きには開閉しない。これにより、蝶番等のヒンジ部品と同様な扉の開閉操作を段ボール材のみで実現することができる。
さらに、棺のヒンジ部分の外観には窓枠と扉の表面が現れるだけで蝶番等のヒンジ部品が露出することはない。このため、ヒンジの存在に影響されることなく、棺の外観を自由にデザインすることが可能になる。
【００１０】
［第２発明］
一般に、段ボール材や合板等からなる棺は、その表面に布張りなどの装飾を施して付加価値を高めることが行われている。第１発明のヒンジ構造においても、窓枠と扉とに布張りを施すことが考えられるが、これらの布材をそれぞれ別個に張り付けてしまうと、ヒンジ部分の外板紙面が外側に見えて外観を損ねるおそれがある。
【００１１】
そこで、第２発明による棺のヒンジ構造は、前記窓枠および前記扉の表面に布材を連ねて張り付け、前記外板の残部を前記布材で覆う構成とした。
【００１２】
このような構成によれば、ヒンジを構成する外板が窓枠と扉とに連なるため、外板紙面を布材の内側に確実に覆い隠すことができ、棺の外観が良好になる。
また、ヒンジ部分において外板と布材とが一緒に折り曲げられてヒンジの役割を果たすため、布材を本来的な装飾材のみならず外板の補強材としても機能させることが可能になる。これにより、ヒンジの強度と耐久性が向上し、繰り返し扉を開け閉めしても窓枠から扉が外れるのが確実に防止される。
【００１３】
［第３発明］
第１発明による棺のヒンジ構造は、段ボール棺の窓に適用することができ、その具体的な適用形態としては、前記ヒンジ構造をもつ窓を段ボール棺に直接設ける他、前記ヒンジ構造をもつ段ボール製の棺用窓ユニットを各種の棺に取り付けてもよい。
【００１４】
このような棺用窓ユニットの構成によれば、棺の窓に合わせて窓ユニットを後付けすることができるため、棺の蓋や本体の材料に関わらず、第１発明と同様なヒンジ構造を採用することができる。例えば、段ボール製の棺に前記窓ユニットを取り付けてもよいし、木製の棺に前記窓ユニットを取り付けてもよい。さらには、金属やプラスチック、陶器等からなる棺に前記前記窓ユニットを取り付けることも可能になる。
【００１５】
［第４発明］
第１〜第３発明のヒンジ構造は、棺の窓に適用されるものであるが、棺の蓋に同様なヒンジ構造を採用することもできる。
【００１６】
すなわち、第４発明のヒンジ構造は、
棺本体と、
この棺本体の上方に被せられる蓋と、
前記棺本体と前記蓋を開閉可能に支持するヒンジとを備え、
前記棺本体および前記蓋は、外板と内板との間に芯材を挟んでなる多層構造の段ボール材を組み立てて一体的に形成されるものであり、
前記ヒンジは、前記棺本体と前記蓋とを繋ぐ段ボール材に前記外板を残して前記内板と前記芯材とを切断し、この外板の残部を前記蓋の開閉軸に合わせて折り曲げることにより形成される構成とした。
【００１７】
このような構成によれば、棺本体と蓋とを繋ぐ段ボール材の外板がそのままヒンジになる。すなわち、棺本体と蓋とを一体的に組み立てるための段ボール材を製作する際に、棺本体と蓋との連結部分の段ボール材の外板を意識的に残すことにより、この外板の残部がヒンジとなり、棺本体に蓋が開閉可能に支持される。この結果、蝶番等のヒンジ部品を別個に用意して棺本体と蓋とに取り付ける作業が不要となり、棺の製作作業を大幅に簡略化することができる。
また、棺のヒンジ部分の外観（主に棺側面）に蝶番等のヒンジ部品が露出することがなく、棺の外観を自由にデザインすることが可能になる。
【００１８】
［第１〜４発明］
本発明のヒンジ構造は、前述したように少なくとも棺の窓が段ボール材で形成されていれば適用することができ、棺の用途や形状が限定されることはない。人用の棺に限らず、ペット用棺に適用してもよいことはもちろんである。また、棺の形状・種類も限定されず、長方形の他、長円形、菱形等であってもよいし、寝棺に限らず座棺であっても適用することができる。また、窓の取付位置は、必ずしも棺の蓋側ではなく、本体側にあってもよい。
【００１９】
なお、第１〜４発明は、単独で適用してもよいし、これらの発明を必要に応じて組み合わせて適用してもよい。また、第１〜４発明に本明細書に記載される他の発明を組み合わせてもよい。
【発明を実施するための最良の形態】
【００２０】
以下、本発明の実施形態を図面に基づいて説明する。
［第１実施形態］
図１に本実施形態による棺の斜視図を示した。本実施形態は、段ボール棺の窓に本発明のヒンジ構造を適用したものである。
【００２１】
図１に示すように、棺１０は、棺本体１１、蓋１２および窓ユニット１３から構成される。棺本体１１の上方に蓋１２が外れるようになっている。蓋１２の一方の端寄りには窓ユニット１３が固定される。棺１０の外側および内側の面には装飾用の布張りが施され、段ボール紙面が外側に見えないようになっている。
【００２２】
棺１０の形状は、横長の箱状で（図２参照）、棺１０の内側には、遺体を寝かせて収納するために十分な箱空間が確保される。具体的な寸法としては、例えば棺１０の長さが１７０〜１９０ｃｍ程度、幅が５０〜６０ｃｍ程度、棺本体１１から蓋１２までの厚みが４０〜４５ｃｍ程度に設定される。蓋１２の外周端は面取りされて緩やかな傾斜面となっている。
【００２３】
図３に示すように、蓋１２には棺内に矩形状に貫通する開口部Ｗが設けられる。開口部Ｗに合わせて窓ユニット１３が取り付けられる。窓ユニット１３の縦横サイズは、開口部Ｗよりも大きく、これにより、図３の二点鎖線に示すように、開口部Ｗの縁の部分に窓ユニット１３が載って開口部Ｗが覆い隠される。
【００２４】
図４は、図３に示した窓ユニット１３の横断面を示している。図４に示すように、窓ユニット１３は、窓枠２１と扉２２Ａ，２２Ｂとを備えている。窓枠２１と扉２２Ａ，２２Ｂとはヒンジ２３で繋がっており、棺１０の外側に開閉可能になっている（図５参照）。なお、ヒンジ２３は、後述するように、段ボール材の外板で形成されるもので、蝶番等の別部品ではない。
【００２５】
扉２２Ａ，２２Ｂの境界付近には棒状の把手２４が固定される（図３参照）。把手２４は、図４で左下半面が扉２２Ａの端面に固定される。把手２４の図４で右下半面は、扉２２Ｂの端面に載って扉２２Ａ，２２Ｂの間の僅かな隙間を覆い隠す（図４参照）。
【００２６】
窓枠２１の下方には矩形の木枠２５が設けられている。木枠２５は、窓枠２１の下面に接着剤等で固定されるもので、窓枠２１を補強している。すなわち、木枠２５は、段ボール材からなる窓枠２１の変形や潰れを防止する。
【００２７】
窓ユニット１３の下部には透明フィルム２６が設けられる。透明フィルム２６は、図４で木枠２５の下側に接着剤等で固定されており、蓋１２の開口部Ｗを仕切る。図５に示すように、扉２２Ａ，２２Ｂの開放状態で参列者等は透明フィルム２６を通して棺１０内を見ることになる。
【００２８】
図６に示すように、扉２２Ａ，２２Ｂと蓋１２の開口部Ｗとの位置関係は、扉２２Ａ，２２Ｂの縦方向の長さが開口部Ｗよりも若干大きい。すなわち、扉２２Ａ，２２Ｂの上下間隔は、開口部Ｗの上下間隔よりも長さＤだけ上下にそれぞれ長くなっている。これにより、扉２２Ａ，２２Ｂを閉じた状態で、扉２２Ａ，２２Ｂの下端と上端が蓋１２の縁に載ってほぼ水平に支持される。これにより、扉２２Ａ，２２Ｂが棺１０の内側に落ち込むのが防止され、また、ヒンジ２３が扉２２Ａ，２２Ｂに引っ張られるようなことがなくなる。
【００２９】
図７に棺１０のヒンジ付近（図５VII部分）の段ボール材の拡大断面図を示した。図７に示すように、蓋１２および窓ユニット１３を形成する段ボール材は、外板３１と芯材３３と内板３２とが層状に貼り合わされている。芯材３３は、三層の波板３３ａと仕切板３３ｂとが積層されてなる。外板３１および内板３２は、波板３３ａおよび仕切板３３ｂよりも厚みのある強化紙になっており、この結果、段ボール材が軽量性と強度を兼ね備える。なお、段ボール材の採用例としては、トライウオール社製の三層強化段ボール等が挙げられる。
【００３０】
窓ユニット１３のヒンジ２３，２３は、上記のような段ボール材に扉２２Ａ，２２Ｂの形状の切り込みを入れることにより作製される。具体的には、図８に示すように、窓枠サイズの段ボール材Ｋに扉２２Ａ，２２Ｂの上下端に合わせて横方向の切り込みｋ１，ｋ２を入れ、これらの切り込みｋ１，ｋ２の中間に縦方向の切り込みｋ３を入れる。これらの切り込みｋ１，ｋ２，ｋ３は、段ボール材Ｋに切り刃を貫通させ、外板３１と芯材３３と内板３２の各層が切り込みｋ１，ｋ２，ｋ３の両側に分断されるようにする。一方、扉２２Ａ，２２Ｂの左右端には、外板３１を残して内板３２と芯材３３を分断するように、縦方向の切り込みｋ４，ｋ５を入れ、これらの両端に切り込みｋ１，ｋ２を繋げる。
【００３１】
このように段ボール材Ｋに切り込みｋ１〜ｋ５を入れた状態で、切り込みｋ４，ｋ５に沿って折り目を付けると、この折り目がヒンジ２３，２３となって扉２２Ａ，２２Ｂが窓枠２１から抜け出て外側に開閉可能になる。すなわち、切り込みｋ４，ｋ５に残した段ボール材の外板３１がヒンジ２３，２３として機能するようになる。
【００３２】
図７に示すように、窓枠２１および扉２２Ａ，２２Ｂの表面には装飾用の布材３６が張り付けられる。布材３６は、蓋１２表面の布材３７と同様な色柄の布地で、窓枠２１および扉２２Ａ，２２Ｂの表面に連なってヒンジ２３，２３を覆い隠す。これにより、ヒンジ２３，２３を構成する外板３１の外側と内側の面に布材３６が重なる格好となり、外板３１と布材３６とが一緒に折り曲げられてヒンジの役割を果たす。
【００３３】
このように本実施形態の棺１０によれば、窓ユニット１３において、段ボール材の外板３１をヒンジ２３，２３とするため、ヒンジ部品を別個に使用しなくとも、扉２２Ａ，２２Ｂを外向きに開閉可能に支持することができる。これにより、窓枠２１と扉２２Ａ，２２Ｂとの間に極めて簡単にヒンジ２３，２３を設けることができ、部品点数も少なくなって低コストで棺１０を製作することができる。
【００３４】
また、棺１０の外側にヒンジ部品が露出することがないため、ヒンジ２３，２３に邪魔されることなく、棺１０の外観を自由にデザインすることができる。  
【００３５】
さらに、棺１０では、窓枠２１と扉２２Ａ，２２Ｂに布材３６を連ねてヒンジ２３，２３を覆い隠すため、ヒンジ部分の外板３１の紙面が外側に露出することなく、棺１０の外観が良好に仕上げられる。また、布材３６が装飾材としてだけではなく、外板３１の補強材としても機能するため、ヒンジ２３，２３の強度が向上し、扉２２Ａ，２２Ｂの開閉操作をより安定的に行うことができる。
【００３６】
［第２実施形態］
次に、本発明の第２実施形態を図９に示した。
第２実施形態による棺４０は、蓋１２の段ボール材に扉２２Ａ，２２Ｂを一体に設けたものである。扉２２Ａ，２２Ｂの図９で上面両端がヒンジ２３，２３を介して蓋１２に繋がっている。ヒンジ２３，２３は、第１実施例と同様に、多層構造の段ボール材のうち（図７参照）外板３１を残して形成されるもので、その表面には布張りが施される。扉２２Ａ，２２Ｂは、ヒンジ２３，２３を軸として棺４０の外側に開き、蓋１２の開口部Ｗを開放する（図９（Ｂ）参照）。
【００３７】
第２実施形態によれば、蓋１２を形成する段ボール材で扉２２Ａ，２２Ｂとヒンジ２３，２３を同時に形成するため、段ボール材が少なくて済み、さらに材料コストを低減することができる。また、蓋１２の窓枠２１付近に凹凸がなくなるため、さらにシンプルな外観の棺４０を製作することができる。
【００３８】
［第３実施形態］
本発明の第３実施形態を図１０に示した。
第３実施形態による棺５０は、棺本体１１と蓋１２とに本発明のヒンジ構造を適用したものである。棺本体１１および蓋１２は、一枚の段ボール材を組み立てることで一体的に形成されるようになっている。ヒンジ２３，２３は、棺本体１１と蓋１２とを繋ぐ段ボール材のうち（図７参照）、外板３１のみを残して内板３２と芯材３３を切断し、この外板３１の残部を蓋１２の開閉軸に合わせて折り曲げて形成される。ヒンジ２３，２３の表面は、前記第１および第２実施形態と同様に、装飾用の布材により補強されている。
【００３９】
第３実施形態によれば、ヒンジ部品を別個に用いることなく棺本体１１に蓋１２を開閉可能に支持することができる。これにより、棺５０を簡単かつ低コストで製作することが可能になる。また、棺５０の側面に蝶番等のヒンジ部品が存在しないため、棺５０の外観をシンプルに仕上げることができる。
【００４０】
［変形例］
前記第１〜第３実施形態による棺を説明したが、本発明の実施形態はこれらに限定されることなく、種々の変形を伴ってもよい。例えば第１実施形態において、棺本体１１および蓋１２は必ずしも段ボール製でなくてもよく、木材その他の材料を採用してもよい。また、棺の形状は、長円形状、菱形その他の多角形状を採用しうることはもちろんである。第３実施例おいて、蓋１２は、棺本体１１全体を開閉するものであってもよいし、故人の顔近くなど棺本体１１を部分的に開閉するものであってもよい。
【図面の簡単な説明】
【００４１】
【図１】本発明の第１実施形態の棺を示す斜視図である。
【図２】同実施形態の棺を示すもので、（Ａ）は平面図、（Ｂ）は側面図である。
【図３】同実施形態の棺の窓ユニットを示す分解斜視図である。
【図４】同実施形態の棺のヒンジ構造を示すもので、扉が閉じた状態の分解横断面図である。
【図５】同実施形態の棺のヒンジ構造を示すもので、扉が開いた状態の横断面図である。
【図６】同実施形態の棺を示す部分平面図である。
【図７】同実施形態の棺のヒンジ構造を示すもので、図５［VII］部分の拡大断面図である。
【図８】同実施形態の棺の窓ユニットを製作するための段ボール材を示す平面図である。
【図９】本発明の第２実施形態による棺のヒンジ構造を示すもので、（Ａ）は扉が閉じた状態の横断面図、（Ｂ）は扉が開いた状態の横断面図である。
【図１０】本発明の第３実施形態による棺のヒンジ構造を示す横断面図である。
【符号の説明】
【００４２】
１０    棺
１１    棺本体
１２    蓋
１３    窓ユニット
２１    窓枠
２２Ａ，２２Ｂ  扉
２３    ヒンジ
２４    把手
２５    木枠
２６    透明フィルム
３１    外板
３２    芯材
３３    内板
Ｋ    段ボール材
ｋ１〜ｋ５  切り込み
【図１】
2008029655.tif 000003
【図２】
2008029655.tif 000004
【図３】
2008029655.tif 000005
【図４】
2008029655.tif 000006
【図５】
2008029655.tif 000007
【図６】
2008029655.tif 000008
【図７】
2008029655.tif 000009
【図８】
2008029655.tif 000010
【図９】
2008029655.tif 000011
【図１０】
2008029655.tif 000012